(57)【要約】【課題】成形および組立てが簡単に行え作業能率が良いばかりか製作コストも低廉になし、管理が容易で、しかも輸送効率も高く、更には廃棄処分が容易である組立式ファイルスタンドを提供する。【解決手段】後側壁１の両側縁にそれぞれ折線２ａを介して側壁３を連設し、前記各側壁３の下縁にそれぞれ折線２ｃ，２ｄを介して下底壁５または上底壁７のどちらかを連設すると共にこれらは互いに重合して固定される固定手段６，８を備え、前記両側壁３，３を対向位置し、前記上底壁７を前記下底壁５の上面に重合させると共に前記固定手段６，８により該下底壁５を固定するようにした。【選択図】図３
2005131058.tif 000002
【特許請求の範囲】
【請求項１】
後側壁の両側縁にそれぞれ折線を介して側壁を連設し、前記各側壁の下縁にそれぞれ折線を介して下底壁または上底壁のどちらかを連設すると共にこれらは互いに重合して固定される固定手段を備え、前記両側壁を対向位置し、前記上底壁を前記下底壁の上面に重合させると共に前記固定手段により該下底壁を固定するようにした構成からなることを特徴とする組立式ファイルスタンド。
【請求項２】
後側壁の両側縁にそれぞれ折線を介して側壁と折返壁とを順に連設し、前記各側壁の下縁にそれぞれ折線を介して下底壁または上底壁のどちらかを連設すると共にこれらは互いに重合して固定される固定手段を備え、前記各側壁の内側面と各折返壁の内側面を重合固着し、前記両折返壁を対向するようにして位置し、前記上底壁を前記下底壁の上面に重合させると共に前記固定手段により該下底壁を固定するようにした構成からなることを特徴とする組立式ファイルスタンド。
【請求項３】
中央の折線を介して左右対称形状に成形しその左右側にはそれぞれ折線を介して中仕切壁と後側壁と側壁とを順に連設し、前記各中仕切壁の下縁と前記各側壁の下縁にそれぞれ折線を介して下底壁または上底壁のどちらかを連設すると共にこれらは互いに重合して固定される固定手段を備え、前記両中仕切壁の外側面を重合固着すると共に前記両側壁を前記各中仕切壁に対向位置し、前記各上底壁を前記各下底壁の上面に重合させると共に前記固定手段により該各下底壁を固定するようにした構成からなることを特徴とする組立式ファイルスタンド。
【請求項４】
中央の折線を介して左右対称形状に成形しその左右側にはそれぞれ折線を介して中仕切壁と後側壁と側壁と折返壁とを順に連設し、前記各中仕切壁の下縁と前記各側壁の下縁にそれぞれ折線を介して下底壁または上底壁のどちらかを連設すると共にこれらは互いに重合して固定される固定手段を備え、前記両中仕切壁の外側面を重合固着すると共に各側壁の内側面と各折返壁の内側面を重合固着し、前記両折返壁を前記各中仕切壁に対向位置し、前記各上底壁を前記各下底壁の上面に重合させると共に前記固定手段により該各下底壁を固定するようにした構成からなることを特徴とする組立式ファイルスタンド。
【請求項５】
ダンボール紙から成形される請求項１乃至４の内のいずれか一記載の組立式ファイルスタンド。
【発明の詳細な説明】
【技術分野】
【０００１】
本発明は、書類、ファイル等を立て掛けた状態で出し入れ自在に収納できる組立式ファイルスタンドに関するものである。
【背景技術】
【０００２】
従来、この種組立式ファイルスタンドとして次のようなものがある。すなわちこの組立式ファイルスタンドは、ベースの後端から上方へほぼ直角に向けられた起立部材が設けられ、該起立部材の内面に、ほぼ水平方向に延びる支持軸が複数設けられている。これらの支持軸の回りには、コイル状の上部巻線が配置され、これら上部巻線の隙間内に書類の後縁が差し込みできるようになっている。また、ベースの面内にも同様の支持軸が複数設けられ、これら支持軸回りにも下部巻線が配置されて該下部巻線の隙間に書類の下縁が差し込み可能となっている（特許文献１参照。）。
【特許文献１】特開２００２−１２５７７７号公報（第３頁、図１）
【発明の開示】
【発明が解決しようとする課題】
【０００３】
しかしながら、前記特許文献１に記載の組立式ファイルスタンドは、ベースおよび起立部材、支持軸、コイル状の上・下部巻線といった複数の部材から構成され、しかもこれらは異なった素材からなるので、成形および組立てが煩雑で極めて面倒であり、作業能率が悪いばかりか製作コストも高くつく。また、部材が多いことから管理が容易ではないことは勿論、嵩張ることから輸送効率も低い。更には、破損または古くなって廃棄する場合も、異なる素材から構成されていることから分別しての廃棄処分が面倒であるという課題がある。
【０００４】
そこで、本発明は上記課題を解決すべくなされたもので、成形および組立てが簡単に行え作業能率が良いばかりか製作コストも低廉になし、管理が容易で、しかも輸送効率も高く、更には廃棄処分が容易である組立式ファイルスタンドを提供することを目的とするものである。
【課題を解決するための手段】
【０００５】
かかる目的を達成するため本発明に係る組立式ファイルスタンドは、後側壁の両側縁にそれぞれ折線を介して側壁を連設し、前記各側壁の下縁にそれぞれ折線を介して下底壁または上底壁のどちらかを連設すると共にこれらは互いに重合して固定される固定手段を備え、前記両側壁を対向位置し、前記上底壁を前記下底壁の上面に重合させると共に前記固定手段により該下底壁を固定するようにした構成からなる。
【０００６】
また、後側壁の両側縁にそれぞれ折線を介して側壁と折返壁とを順に連設し、前記各側壁の下縁にそれぞれ折線を介して下底壁または上底壁のどちらかを連設すると共にこれらは互いに重合して固定される固定手段を備え、前記各側壁の内側面と各折返壁の内側面を重合固着し、前記両折返壁を対向するようにして位置し、前記上底壁を前記下底壁の上面に重合させると共に前記固定手段により該下底壁を固定するようにした構成からなる。
【０００７】
更に、本発明に係る組立式ファイルスタンドは、中央の折線を介して左右対称形状に成形しその左右側にはそれぞれ折線を介して中仕切壁と後側壁と側壁とを順に連設し、前記各中仕切壁の下縁と前記各側壁の下縁にそれぞれ折線を介して下底壁または上底壁のどちらかを連設すると共にこれらは互いに重合して固定される固定手段を備え、前記両中仕切壁の外側面を重合固着すると共に前記両側壁を前記各中仕切壁に対向位置し、前記各上底壁を前記各下底壁の上面に重合させると共に前記固定手段により該各下底壁を固定するようにした構成からなる。
【０００８】
具体的には、組立式ファイルスタンドは、例えば中央の折線を介して左右対称形状に成形しその左右側にはそれぞれ折線を介して中仕切壁と後側壁と側壁とを順に連設し、前記各中仕切壁の下縁に折線を介して下底壁を連設すると共に該各折線と対向する該各下底壁の端縁に嵌合片を設け、前記各側壁の下縁には折線を介して上底壁を連設すると共に該各折線に沿って該各上底壁に差込口を開設してなり、前記両中仕切壁の外側面を重合固着すると共に前記両側壁を前記各中仕切壁に対向位置し、前記各上底壁を前記各下底壁の上面に重合させると共に前記各嵌合片を前記各差込口へ嵌入するようにして構成される。
【０００９】
更にまた、本発明に係る組立式ファイルスタンドは、中央の折線を介して左右対称形状に成形しその左右側にはそれぞれ折線を介して中仕切壁と後側壁と側壁と折返壁とを順に連設し、前記各中仕切壁の下縁と前記各側壁の下縁にそれぞれ折線を介して下底壁または上底壁のどちらかを連設すると共にこれらは互いに重合して固定される固定手段を備え、前記両中仕切壁の外側面を重合固着すると共に各側壁の内側面と各折返壁の内側面を重合固着し、前記両折返壁を前記各中仕切壁に対向位置し、前記各上底壁を前記各下底壁の上面に重合させると共に前記固定手段により該各下底壁を固定するようにした構成からなる。
【００１０】
具体的には、組立式ファイルスタンドは、例えば中央の折線を介して左右対称形状に成形しその左右側にはそれぞれ折線を介して中仕切壁と後側壁と側壁と折返壁とを順に連設し、前記各中仕切壁の下縁に折線を介して下底壁を連設すると共に該各折線と対向する該各下底壁の端縁に嵌合片を設け、前記各側壁の下縁に折線を介して上底壁を連設すると共に該各折線に沿って該各上側壁に差込口を開設し、前記各折返壁の下縁には前記各差込口に対応位置させて嵌合凹部を設けてなり、前記両中仕切壁の外側面を重合固着すると共に各側壁の内側面と各折返壁の内側面を重合固着し、前記両折返壁を前記各中仕切壁に対向位置し、前記各上底壁を前記各下底壁の上面に重合させると共に前記各嵌合片を前記各差込口を介して前記各嵌合凹部に嵌合するようにして構成される。
【００１１】
いずれの場合も、組立式ファイルスタンドはダンボール紙から成形されることが好ましい。
【発明の効果】
【００１２】
請求項１，３記載の発明にあっては、１枚のシートから成形され、両中仕切壁の外側面を重合固着すると共に両側壁を各中仕切壁に対向位置し、上底壁を下底壁の上面に重合させ固定するのみで組み立てられるので、成形および組立てが簡単に行え、作業能率が良いばかりか製作コストも低廉になし得る。また、１枚の部材からなるので管理が容易で、しかも、折畳んで梱包できることから輸送効率も高い。更には、破損または古くなって廃棄する場合も、１種類の素材から構成されていることから分別する必要がなく廃棄処分が容易であるという多くの有益な効果がある。
【００１３】
また、請求項２，４記載の発明にあっては、前記請求項１，３記載の効果に加え両側壁に折返壁を連設して重合固着したので、組立てた後の強度性に優れ頑強となる。
【００１４】
請求項５記載の発明にあっては、組立式ファイルスタンドをダンボール紙から成形するようにしたので、ダンボール紙の打ち抜きのみで成形され、成形が容易であるばかりか製作コストが格段に安くできる。また、そのまま廃棄することにより廃棄処分が極めて容易であってダンボール紙として再利用も可能である。
【発明を実施するための最良の形態】
【００１５】
以下、本発明に係る組立式ファイルスタンドの実施の形態について図面に基づき詳しく説明する。図１乃至図７は第１実施の形態に係る組立式ファイルスタンドＡを示し、図８乃至図１５は第２実施の形態に係る組立式ファイルスタンドＢを示す。両組立式ファイルスタンドＡ，Ｂはダンボール紙を打ち抜いて成形される。この他に、両組立式ファイルスタンドＡ，Ｂは、例えば適宜厚さの厚紙または合成樹脂板により成形するようにしても良い。
【００１６】
まず、第１実施の形態に係る組立式ファイルスタンドＡについて説明する。図１は組立式ファイルスタンドＡの展開平面図である。この組立式ファイルスタンドＡは、後側壁１の両側縁にそれぞれ折線２ａ，２ａを介して側壁３，３が連設され、各側壁３，３の外側縁に折線２ｂ,２ｂを介してそれぞれ折返壁４，４が連設されている。
【００１７】
前記後側壁１は縦長長方形状に成形される。各側壁３は後側壁１を挟んで左右線対称形状に成形され、上縁と下縁が平行をなし前記折線２ｂである外側縁が前記下縁と鋭角をなすように傾斜している。そして、一方の側壁３の下縁に折線２ｃを介して横長長方形状の下底壁５が連設され、その折線２ｃと対向する下縁中央部に固定手段としての嵌合片６が設けられている。他方の側壁３の下縁には折線２ｄを介して前記下底壁５と同じ大きさの上底壁７が連設される。上底壁７には、前記折線２ｄに沿って嵌合片６が嵌入される固定手段としての差込口８が開設されている。また、両折返壁４，４はその折線２ｂ，２ｂを中心線として各側壁３，３と線対称形状に成形され、一方の折返壁４すなわち差込口８の開設された上底壁７と隣接する側の折返壁４の下縁に前記差込口８に対応位置させて嵌合凹部９が設けられている。
【００１８】
第１実施の形態に係る組立式ファイルスタンドＡは上記構成からなり、次に組立て順序を説明する。まず、図２に示すようにあらかじめ前記両左右の側壁３，３の内側面に各折返壁４，４の内側面を重合固着として重合接着しておく。通常この状態までメーカーで製作して出荷される。これを購入した消費者は、図３に示すように各両側壁３，３を起立させると共に両側壁３，３を各折返壁４が対向するようにして位置し、前記上底壁７を下底壁５の上面に重合させる。そして、嵌合片６を下側から差込口８を介して嵌合凹部９に嵌合する。
【００１９】
これにより、図４乃至図６に示すように収容部１０が成形される組立式ファイルスタンドＡが完成する。この組立式ファイルスタンドＡは、例えば机上に配置され図７に示すように所望の書類、ファイルＦを収容部１０に収容するようにして使用に供される。通常、この種ファイルスタンドは前面にも一定の高さの前壁が設けられており、書類、ファイルＦは上方からしか出し入れできないようになっている。このため、例えば本棚などの中にファイルスタンドが収納されているときは、書類、ファイルＦの出し入れに本棚の棚が支えることから逐一ファイルスタンドを取り出さねばならないが、本発明の組立式ファイルスタンドＡは前面が解放しているので、その前側から書類、ファイルＦを簡単に出し入れでき極めて便利である。
【００２０】
組立式ファイルスタンドＡを梱包して工場からトラックで出荷する際は、図２に示すように各折返壁４が各側壁３に重合固着された状態で梱包すれば減容でき、輸送効率が高くなる。
【００２１】
第１実施の形態に係る組立式ファイルスタンドＡにあっては、組立式ファイルスタンドＡをダンボール紙により成形するようにしたので折返壁４，４を連設したが、これにより強度的に頑強になる。この場合、折返壁４，４が不要であれば設けなくても良い。強度的に十分耐え得る適宜厚さの合成樹脂材により組立式ファイルスタンドＡを成形するときも不要であれば折返壁４，４を設けなくても良い。また、厚紙、合成樹脂板により組立式ファイルスタンドＡを成形するときは、各折線を厚紙、合成樹脂板の肉厚よりも薄くしておく。更に、組立式ファイルスタンドＡが合成樹脂板の場合、各側壁３と各折返壁４との重合固着手段としては、接着剤のほかにピンを挿通して止めたり、断面門形状の挟着部材で挟むようにしても良い。
【００２２】
次に、第２実施の形態に係る組立式ファイルスタンドＢについて図面に基づき詳しく説明する。組立式ファイルスタンドＢもダンボール紙を打ち抜いて成形される。この他に、組立式ファイルスタンドＢは、例えば適宜厚さの厚紙または合成樹脂板により成形するようにしても良い。図８は組立式ファイルスタンドＢの展開平面図である。
【００２３】
この組立式ファイルスタンドＢは、図８において中央の折線１１ａを中心線として左右対称形状をしていることから、便宜上その右側のみについて説明し、左側については同一部位に同一番号を付すことにより詳しい説明は省略する。前記中央の折線１１ａの右側に中仕切壁１２が配置され、その右側に折線１１ｂを介して後側壁１３が連設される。そして、該後側壁１３の右側に折線１１ｃを介して側壁１４が連設され、該側壁１４の右側に折線１１ｄを介して折返壁１５が連設される。
【００２４】
前記中仕切壁１２は、上縁と下縁が平行をなし前記折線１１ａである左縁が前記下縁と鋭角をなすように傾斜し、また折線１１ｂである右縁は上・下縁と直角をなすようになっている。また、中仕切壁１２の下縁に折線１１ｅを介して横長長方形状の下底壁１６が連設され、その折線１１ｅと対向する下縁中央部に固定手段としての嵌合片１７が設けられている。後側壁１３は縦長長方形状に成形される。
【００２５】
側壁１４は、後側壁１３を挟んで中仕切壁１２と線対称形状に成形される。また、側壁１４の下縁に折線１１ｆを介して前記下底壁１６と同じ大きさの上底壁１８が連設される。上底壁１８には、前記折線１１ｆに沿って嵌合片１７が嵌入される固定手段としての差込口１９が開設されている。折返壁１５はその折線１ｄを中心線として側壁１４と線対称形状に成形され、該折返壁１５の下縁に前記差込口１９に対応位置させて嵌合凹部２０が設けられている。
【００２６】
第２実施の形態に係る組立式ファイルスタンドＢにあっては、各中仕切壁１２の下縁に上底壁１８を連設すると共に固定手段としての差込口１９を開設し、各側壁１４の下縁に下底壁１６を連設すると共に固定手段としての嵌合片１７を設けるようにしても良い。この場合は、折返壁１５ではなく中仕切壁１２に差込口１９に対応位置させて嵌合凹部２０を設ける。そして、各上底壁１８を各下底壁１６の上面に重合させ、各嵌合片１７を下側から各差込口１９を介して各嵌合凹部２０に嵌合する。
【００２７】
次に、組立て順序を説明する。まず、図９に示すようにあらかじめ前記両中仕切壁１２，１２の外側面を重合固着として重合接着し、更に前記各左右の側壁１４，１４の内側面に各折返壁１５，１５の内側面を重合固着として重合接着しておく。通常この状態までメーカーで製作して出荷される。これを購入した消費者は、図１０に示すように各中仕切壁１２及び両側壁１４，１４を起立させると共に両折返壁１５，１５を各中仕切壁１２に対向位置し、前記各上底壁１８を各下底壁１６の上面に重合させる。そして、各嵌合片１７を下側から各差込口１９を介して各嵌合凹部２０に嵌合する。
【００２８】
これにより、図１１乃至図１３に示すように中央に中仕切壁１２，１２を有し、その両側に収容部２１，２１が成形される組立式ファイルスタンドＢが完成する。この組立式ファイルスタンドＢは、例えば机上に配置され図１４に示すように所望の書類、ファイルＦを各収容部２１，２１に収容するようにして使用に供される。この場合も前面が解放しているので、その前側から書類、ファイルＦを簡単に出し入れでき極めて便利である。
【００２９】
組立式ファイルスタンドＢを梱包して工場からトラックで出荷する際は、図１５に示すように各中仕切壁１２と各側壁１４を重ねて折畳んだ状態で梱包すれば減容でき、輸送効率が高くなる。
【００３０】
第２実施の形態に係る組立式ファイルスタンドＢにあっても、ダンボール紙により組立式ファイルスタンドＢを成形するようにしたので折返壁１５，１５を連設したが、これにより強度的に頑強になる。この場合、折返壁１５，１５が不要であれば設けなくても良い。強度的に十分耐え得る適宜厚さの合成樹脂材により組立式ファイルスタンドＢを成形するときも不要であれば折返壁１５，１５を設けなくても良い。また、厚紙、合成樹脂板により組立式ファイルスタンドＢを成形するときは、各折線を厚紙、合成樹脂板の肉厚よりも薄くしておく。更に、組立式ファイルスタンドＢが合成樹脂板の場合、両中仕切壁１２，１２の重合固着手段、または各側壁１４と各折返壁１５との重合固着手段としては、接着剤のほかにピンを挿通して止めたり、断面門形状の挟着部材で挟むようにしても良い。
【００３１】
以上のように本発明に係る組立式ファイルスタンドＡ，Ｂは、１枚のシートから成形され成形および製作が簡単であることから、成形・製作の作業能率が良いばかりか製作コストも低廉になし得る。また、１枚の部材からなるので管理が容易で、しかも、折畳んで梱包できることから輸送効率も高い。更には、破損または古くなって廃棄する場合も、１種類の素材から構成されていることから廃棄処分が容易である。特に組立式ファイルスタンドＡ，Ｂをダンボール紙により成形した場合は、そのまま廃棄してダンボール紙としてリサイクルできるので有益である。
【図面の簡単な説明】
【００３２】
【図１】第1実施の形態に係る組立式ファイルスタンドＡの展開平面図。
【図２】同組立手順を示す斜視図。
【図３】同組立手順を示す斜視図。
【図４】同完成した斜視図。
【図５】図４のＷ−Ｗ線断面図。
【図６】図４のＸ−Ｘ線断面図。
【図７】組立式ファイルスタンドＡの使用状態図。
【図８】第２実施の形態に係る組立式ファイルスタンドＢの展開平面図。
【図９】同組立手順を示す斜視図。
【図１０】同組立手順を示す斜視図。
【図１１】同完成した斜視図。
【図１２】図１１のＹ−Ｙ線断面図。
【図１３】図１１のＺ−Ｚ線断面図。
【図１４】組立式ファイルスタンドＢの使用状態図。
【図１５】同折畳み状態を示す斜視図。
【符号の説明】
【００３３】
１                後側壁
２ａ〜２ｄ        折線
３                側壁
４                折返壁
５                下底壁
６                固定手段（嵌合片）
７                上底壁
８                固定手段（差込口）
９                嵌合凹部
１１ａ〜１１ｆ    折線
１２              中仕切壁
１３              後側壁
１４              側壁
１５              折返壁
１６              下底壁
１７              固定手段（嵌合片）
１８              上底壁
１９              固定手段（差込口）
２０              嵌合凹部
【図１】
2005131058.tif 000003
【図２】
2005131058.tif 000004
【図３】
2005131058.tif 000005
【図４】
2005131058.tif 000006
【図５】
2005131058.tif 000007
【図６】
2005131058.tif 000008
【図７】
2005131058.tif 000009
【図８】
2005131058.tif 000010
【図９】
2005131058.tif 000011
【図１０】
2005131058.tif 000012
【図１１】
2005131058.tif 000013
【図１２】
2005131058.tif 000014
【図１３】
2005131058.tif 000015
【図１４】
2005131058.tif 000016
【図１５】
2005131058.tif 000017